(57)【特許請求の範囲】
【請求項１】
フレキシブルダクトの内側に管に嵌め、外方から締めつけて結合するためのフレキシブルダクト結合用平バンドであって、
円形に巻かれる帯状の平バンド部材と、
前記平バンド部材の一端が固定され、前記ダクトの外周に沿った底面と、前記底面の両側の側板とを有する金具と、
前記側板に対して回転可能に設けられ、前記平バンド部材の他端を保持して巻き込み可能とする軸部材と、
この軸部材とともに回転するように前記軸部材に通され、前記平バンド部材の巻き込み方向に回転可能であり、反巻き込み方向に回転しないような爪歯車部材と、
前記爪歯車部材を回転させるように前記軸部材に通され、前記平バンド部材の巻き込み方向に前記爪歯車部材と回転し、反巻き込み方向では前記爪歯車部材に対して空回りするレバーと、を備えてなり、
前記金具は、前記軸部材を支点として揺動可能な第１部材と第２部材とで構成されているフレキシブルダクト結合用平バンド。
【請求項２】
請求項１において、前記平バンド部材は、前記第１部材の底面の上を越えて前記第２部材の底面に至って前記第２部材に固定されているフレキシブルダクト結合用平バンド。
【発明の詳細な説明】
【０００１】
【発明の属する技術分野】
本発明は、金属薄板管を蛇腹状に加工したもの又はスパイラル状に巻かれた針金の周囲に断熱材入りの樹脂チューブを形成したもの等のようなフレキシブルダクトの端に短管を嵌め、短管の外周に対してフレキシブルダクトの端を締めつけて結合するためのフレキシブルダクト結合用平バンドに関し、特に工具を使用しなくても締付作業ができるものに関する。
【０００２】
【従来の技術】
近年、高層ビルの空気調和設備の配管として、軽くて屈曲性に富み、工事が簡単にできる前述の如きフレキシブルダクトが使用される。このようなフレキシブルダクトの接続には、ダクト本体と同様に取付けが簡単な結合用平バンドが用いられる。
【０００３】
このような結合用平バンドの従来例を図２に基づいて説明する。平バンド部材１０１と、短管の金具１０２と、軸部材１０３とを主要部分としてなる締め付けバンド１００である。
【０００４】
平バンド部材１０１は、金具１０２にはめ込まれた蛇腹状フレキシブルダクトＤの端に巻かれる帯状の金属バンドであり、フレキシブルダクトＤの外周より長い全長を有している。金具１０２は、フレキシブルダクトＤに沿うように半径Ｒで円弧状に曲がった底面１０２ａと、この底面１０２ａの両側の側板１０２ｂとを有している。この底面１０２ａには、平バンド部材１０１の一端１０１ａがリベット１０５で固定されている。軸部材１０３は、二枚の側板１０２ｂに同軸に設けられた穴に通され、図示されない回り止め手段によって一方向に回転自在に支持されている。二枚の側板１０２ｂ間にある軸部材１０３に設けられたスリット１０３ａに平バンド部材１０１を通すことによって、平バンド部材１０１の他端１０１ｂを保持できる構造になっている。
【０００５】
このような結合用平バンド１００の使用に際しては、まず平バンド部材１０１の他端１０１ｂをフリーにして短管Ｐが嵌入したフレキシブルダクトＤの端の周囲に巻き付け、この他端１０１ｂを軸部材１０３のスリット１０３ａに通す。つぎに平バンド部材１０１の周囲を押さえつけたり、他端１０３ａを引っ張ったりして予備的に締め付けたのち、軸部材１０３の端にレンチ１０６を係合させて軸部材１０３を回転させる。すると、軸部材１０３のスリット１０３ａに係合したバンド部材１０１の他端１０１ｂ及び締め付け側１０１ｃの両方が軸部材１０３の回りに巻きつき、特に締め付け側１０１ｃの巻きつきによって平バンド部材１０１がフレキシブルダクトＤを短管Ｐに対して締め付ける。軸部材１０３には締め付け方向の一方向にしか回転できないような回り止め手段が施されているため、締め付け状態が維持される。
【０００６】
【発明が解決しようとする課題】
しかしながら、短管Ｐに嵌入されたフレキシブルダクトＤの結合箇所は天井部分等のように作業しにくい場所が多い。このような場所で、レンチ１０６等の工具を使って、締めつける作業はやりにくいという問題点を有していた。
【０００７】
そこで本発明は、フレキシブルダクトの端を管に嵌め、両者を締めつけて結合する際に、特別の工具を使用せずに、締付作業ができるフレキシブルダクト結合用平バンドを提供することを目的とする。
【０００８】
【課題を解決するための手段】
前述した目的を達成する本発明のうちで請求項１記載の発明は、フレキシブルダクトの内側に管に嵌め、外方から締めつけて結合するためのフレキシブルダクト結合用平バンドであって、
円形に巻かれる帯状の平バンド部材と、
前記平バンド部材の一端が固定され、前記ダクトの外周に沿った底面と、前記底面の両側の側板とを有する金具と、
前記側板に対して回転可能に設けられ、前記平バンド部材の他端を保持して巻き込み可能とする軸部材と、
この軸部材とともに回転するように前記軸部材に通され、前記平バンド部材の巻き込み方向に回転可能であり、反巻き込み方向に回転しないような爪歯車部材と、
前記爪歯車部材を回転させるように前記軸部材に通され、前記平バンド部材の巻き込み方向に前記爪歯車部材と回転し、反巻き込み方向では前記爪歯車部材に対して空回りするレバーと、を備えてなり、前記金具は、前記軸部材を支点として揺動可能な第１部材と第２部材とで構成されているものである。
レバーをラチェットのように往復動させると、平バンド部材によるフレキシブルダクトの管に対する締め付けが徐々に行われる。
【０００９】
また請求項２記載の発明は、請求項１において、前記平バンド部材は、前記第１部材の底面の上を越えて前記第２部材の底面に至って前記第２部材に固定されているものである。
【００１０】
【発明の実施の形態】
以下、本発明の一実施形態を図面を参照しつつ説明する。図１により実施形態にかかる他の結合用平バンドを説明する。図１において、結合用平バンド１は、平バンド部材２と、第１部材３と第２部材４とからなる金具５と、軸部材６と、爪歯車部材７と、レバー８とを主要部分としてなっている。
【００１１】
平バンド部材２は、フレキシブルな薄肉帯状のメッキ鋼材であり、自然な状態で円形になるように形成されている。平バンド部材２の一端２ａは第１部材３の底面３ａの上を越えて第２部材４の底面４ａに至ってリベット１１により第２部材４に固定されている。平バンド部材２の他端２ｂはフリーになっており、後述する軸部材６のスリット１２に通して他端２ｂを保持することができるようになっている。この平バンド部材２は締めつけるべき円形部材の周長より締め付けに必要な余分を見込んでカットされる。ただし、平バンド部材２の他端２ｂが余っても締め付けに支障がなく、余った部分を現場でカットすることも可能なため、平バンド部材２の長さが円形部材の径に合わなくても使用できる。そのため、在庫管理すべき結合用平バンドの種類が少なくなるとともに、多少合わなくても流用可能になる。
【００１２】
金具５の第１部材３と第２部材４の各々は、底面３ａ，４ａと、底面３ａ，４ａの両側の側板３ｂ，４ｂとからなり、平バンド部材２の長手方向の左右で略対象な形状になっている。底面３ａ，４ａの幅は平バンド部材２が載るに必要な幅であり、側板３ｂ，４ｂは後述する軸部材６の回りに所定量の平バンド部材２を巻き込めるスペースが確保できる円形部分とそのすそ野部分からなる形状になっている。側板３ｂ，４ｂの円形部分の各々に穴１３，１４が設けられている。第１部材３の側板３ｂの内側に、第２部材４の側板４ｂを滑り込ませると、側板３ｂ，４ｂの穴１３，１４は同軸となり、後述する軸部材６を差し込み、軸部材６の回転を許容しつつ支持することができる。
【００１３】
軸部材６は、断面が半円の針金を重ね合わせてスリット１２を形成する部分と、断面が半円の針金を曲げてデッドエンドを形成するためのリング１４の部分とからなっている。スリット１２の幅は平バンド部材２の厚みより大きく、スリット１２のある部分の軸部材６の断面は長円形になっている。
【００１４】
爪歯車部材７は、中心に長円形穴７ａを有し、長円形穴７ａの周囲に爪７ｂが設けられた回転体である。レバー８は軸部材６を差し込み、軸部材６との間の相対的回転を許容する穴８ａが設けられている。
【００１５】
また第１部材３ｂの側面３ｂには爪７ｂに対する引っ掛かり３ｄが設けられている。この引っ掛かり３ｄによって、爪歯車部材７と軸部材６は矢印ａ方向に回転可能であり、軸部材６のスリットに差し込まれた平バンド部材２を巻き込むことができるが、平バンド部材２の巻き込みを解放しようとする矢印ｂ方向には回転が阻止される。
【００１６】
またレバー８の側面にも爪７ｂに対する引っ掛かり８ｂが設けられている。この引っ掛かり８ｂによって、レバー８は爪歯車部材７と一緒に矢印ｃ方向に回転可能であり平バンド部材２を巻き込むことができるが、平バンド部材２の巻き込みを解放しようとする矢印ｄ方向には爪歯車部材７を回転させずに空回りする。すなわち、レバー８はラチェットとして機能し、レバー８の往復動によって、爪歯車部材７及び軸部材６を平バンド部材２を巻き込む方向にだけ回転させることができる。
なお、符号６ａは軸部材６を通した後にプレスして形成される抜け止め部であり、符号６ｂは第１部材３ｂの側面３ｂの引っ掛かり３ｄと爪歯車部材７とレバー８の引っ掛かり８ｂとの係合関係を維持するためのスプリング座がねであり、符号６ｃ，６ｄは軸部材６の軸方向位置を規制するための平座金である。
【００１７】
このようなラチェト式の平バントによるフレキシブルダクトの締め付けを以下に説明する。図１において、図示されないフレキシブルダクトの外周に平バンド部材２を沿わせ、平バンド部材２の端を軸部材６のスリットに通す。
そして、レバー８を丸３、丸４方向に往復動させると、爪歯車部材７と軸部材６とが平バンド部材２を巻き込む方向に回転し、フレキシブルダクトが締めつけられる。このレバー８は予めフレキシブルダクト結合用平バンドの一部として取り付けられているため、フレキシブルダクトを締めつける際に特別の工具を必要としない。
【００１８】
また、金具５が第１部材３と第２部材４とからなっており、軸部材６を中心として屈曲自在であるため、フレキシブルダクトの径に沿って金具５が屈曲し、フレキシブルダクトと金具５の間に隙間が生じることがない。
さらに、平バンド部材２が第１部材３の底面３ａの上に載り、第２部材４の底面４ａに至って固定されているため、第１部材３は平バンド部材２を介して円形部材に挟まれ、第１部材３の浮き上がりが阻止される。また、第２部材４のリベット１１と穴１４の間に力が作用することになり、第２部材４の円形部分が浮き上がろうとする力が第１部材３を介して押さえられる。その結果、第１部材３と第２部材４が軸部材６を中心として揺動自在となった金具であっても、締め付け状態では安定が保たれる。
【００１９】
【発明の効果】
以上説明したように、本発明のうち請求項１記載の発明は、レバーを往復動させるだけで、締め付けが完了するため、特別な工具を用いることなく締め付けを簡単に行うことができるという効果を奏する。加えて、金具をフレキシブルダクトの外径に沿わせて屈曲させ、金具をフレキシブルダクトとの間の隙間を無くし、均一な締め付けを可能にするという効果を奏する。
【００２０】
請求項２記載の発明は、請求項１の効果に加えて、金具の姿勢を安定させるという効果を奏する。
【図面の簡単な説明】
【図１】  本発明の結合用平バンドの要部の斜視図である。
【図２】  従来の結合用平バンドの全体斜視図である。
【符号の説明】
１  結合用平バンド
２  平バンド部材
３ 第１部材
４ 第２部材
５ 金具
６ 軸部材
７ 爪歯車部材
８ レバー
【図１】
0003636404.tif 000002
【図２】
0003636404.tif 000003